(57)【特許請求の範囲】
【請求項１】
上下方向に隣接配置される下階建物ユニットおよび上階建物ユニットに、螺旋階段が取り付けられてなる螺旋階段の取付構造において、
前記螺旋階段は、支柱と、この支柱に沿って螺旋状に取り付けられた複数の段板と、最上段の段板と上階建物ユニットの床部との間に設けられる踊り場と、を備えており、
前記下階建物ユニットは、前記螺旋階段の支柱の下端部が固定される部位に設けられる第一補強部を備えており、
前記上階建物ユニットは、前記螺旋階段の踊り場が固定される部位に設けられる第二補強部を備えており、
前記第一補強部および第二補強部は、前記下階建物ユニットおよび上階建物ユニットをそれぞれ構成する金属製の横架材と、
この横架材に固定されるとともに前記螺旋階段の支柱および踊り場がそれぞれ固定される木製の下地材とを有しており、
前記第一補強部を構成する横架材は、前記下階建物ユニットの床部を構成するとともに断面略コ字型に形成された床根太と、この床根太よりも大きさが一回り小さい断面略コ字型に形成された補強材とを備え、これら床根太と補強材とが、互いに開口部を対向させるようにして接合されることによって形成されており、
前記第一補強部を構成する下地材は、前記床根太の側面と前記補強材の側面にそれぞれ固定されており、
前記螺旋階段の支柱の下端部は、前記横架材および下地材の上方に配置されるとともに、前記下地材に固定されていることを特徴とする螺旋階段の取付構造。
【請求項２】
請求項１に記載の螺旋階段の取付構造において、
前記第二補強部を構成する横架材は、前記上階建物ユニットの床部を構成するとともに断面略コ字型に形成された床梁と、この床梁よりも大きさが一回り小さい断面略コ字型に形成されるとともに該床梁よりも上階建物ユニットの内側に位置する補強材とを備え、これら床梁と補強材とが、互いに開口部を対向させるようにして接合されることによって形成されており、
前記第二補強部を構成する下地材は、前記補強材の側面に固定されており、
前記螺旋階段の踊り場は、前記下地材の側方に配置されるとともに該下地材に固定されていることを特徴とする螺旋階段の取付構造。
【請求項３】
請求項２に記載の螺旋階段の取付構造において、
前記上階建物ユニットの床部を構成する床梁は、長辺床梁と、この長辺床梁に直交する短辺床梁とからなり、
前記補強材は、これら長辺床梁および短辺床梁の双方に接合されており、
前記踊り場は、前記長辺床梁側の補強材の側面に固定された下地材と、前記短辺床梁側の補強材の側面に固定された下地材のそれぞれに固定されていることを特徴とする螺旋階段の取付構造。
【発明の詳細な説明】
【技術分野】
【０００１】
本発明は、ユニット建物を構成する建物ユニットに螺旋階段が取り付けられてなる螺旋階段の取付構造に関する。
【背景技術】
【０００２】
従来、柱と床梁と天井梁とを箱型に接合してなる建物ユニットを、建築現場において左右上下に隣接設置することにより構築されるユニット建物が知られている。
近年、ユニット建物に螺旋階段を設置したいという要望があった。そこで、下階建物ユニットの天井部と上階建物ユニットの床部に大きな開口部を形成することによって建物本体に吹抜けを形成し、この吹抜けの位置に螺旋階段を設置する技術が開発されている（例えば、特許文献１参照）。
【先行技術文献】
【特許文献】
【０００３】
【特許文献１】特開２００４−１６９３８３号公報
【発明の概要】
【発明が解決しようとする課題】
【０００４】
ところで、特許文献１に記載のユニット建物では、螺旋階段を予め一つの建物ユニットに組み込んでおけるようになっている。しかし、螺旋階段が予め建物ユニットに組み込まれていると、支柱が、建物ユニットの上端部よりも上方に突出してしまう。このため、輸送中には高さ制限に配慮しなければならなかったり、建物ユニットを吊り上げる際には吊りワイヤーと螺旋階段が接触したりする等の問題が生じることが懸念される。
そこで、螺旋階段を予め建物ユニットに組み込まずに、現場で施工する方法を採用したいという要望があるが、螺旋階段を現場で組み込むとなると、予め工場等で行われていた接合作業を行えない場合がある。そして、このように工場等で予め接合作業を行えないとなると、螺旋階段を建物ユニットに接合する作業が複雑化したり、螺旋階段を建物ユニットに強固に接合できない場合がある。
【０００５】
本発明の課題は、螺旋階段を現場施工する場合であっても、螺旋階段を建物ユニットに容易かつ強固に取り付けることが可能な螺旋階段の取付構造を提供することを目的とする。
【課題を解決するための手段】
【０００６】
請求項１に記載の発明は、例えば図１〜図６に示すように、上下方向に隣接配置される下階建物ユニット１０（１０ａ）および上階建物ユニット１０（１０ｂ）に、螺旋階段２０が取り付けられてなる螺旋階段２０の取付構造において、
前記螺旋階段２０は、支柱２１と、この支柱２１に沿って螺旋状に取り付けられた複数の段板２３…と、最上段の段板２３と上階建物ユニット１０（１０ｂ）の床部との間に設けられる踊り場２４と、を備えており、
前記下階建物ユニット１０（１０ａ）は、前記螺旋階段２０の支柱２１の下端部（例えばベースプレート２２）が固定される部位に設けられる第一補強部５を備えており、  
前記上階建物ユニット１０（１０ｂ）は、前記螺旋階段２０の踊り場２４が固定される部位に設けられる第二補強部６を備えており、
前記第一補強部５および第二補強部６は、前記下階建物ユニット１０（１０ａ）および上階建物ユニット１０（１０ｂ）をそれぞれ構成する金属製の横架材（例えば床根太１６および補強材５１、床梁１３および補強材６１）と、
この横架材に固定されるとともに前記螺旋階段２０の支柱２１および踊り場２４がそれぞれ固定される木製の下地材５０，６０とを有しており、
前記第一補強部５を構成する横架材は、前記下階建物ユニット１０ａの床部を構成するとともに断面略コ字型に形成された床根太１６と、この床根太１６よりも大きさが一回り小さい断面略コ字型に形成された補強材５１とを備え、これら床根太１６と補強材５１とが、互いに開口部を対向させるようにして接合されることによって形成されており、
前記第一補強部５を構成する下地材５０は、前記床根太１６の側面と前記補強材５１の側面にそれぞれ固定されており、
前記螺旋階段２０の支柱２１の下端部は、前記横架材および下地材５０の上方に配置されるとともに、前記下地材５０に固定されていることを特徴とする。
【０００７】
請求項１に記載の発明によれば、前記螺旋階段２０の支柱２１の下端部が固定される部位に設けられた第一補強部５は、前記木製の下地材５０を有するので、例えばボルト２２ａ等の止着材によって、前記支柱２１の下端部を、前記木製の下地材５０に容易かつ確実に固定することができる。さらに、前記下地材５０は、前記金属製の横架材に固定されているので、前記下地材５０に下端部が固定された前記支柱２１を、この横架材によって確実に支持することができる。
また、前記螺旋階段２０の踊り場２４が固定される部位に設けられた第二補強部６は、前記木製の下地材６０を有するので、例えばボルト２７ａ等の止着材によって、前記踊り場２４を、前記木製の下地材６０に容易かつ確実に固定することができる。さらに、前記下地材６０は、前記金属製の横架材に固定されているので、前記下地材６０に固定された前記踊り場２４を、この横架材によって確実に支持することができる。
そして、このように前記螺旋階段２０を、前記第一補強部５および第二補強部６の下地材５０，６０に容易かつ確実に固定できるとともに、前記横架材によって確実に支持できるので、前記螺旋階段２０の建物ユニット１０（１０ａ，１０ｂ）への取付状態を強固にすることができる。これによって、予め工場等で前記螺旋階段２０を建物ユニット１０（１０ａ，１０ｂ）に接合して組み込んだ状態にしておかなくても、現場で前記螺旋階段２０を建物ユニット１０（１０ａ，１０ｂ）に容易かつ強固に固定することが可能となる。
【０００９】
さらに、前記床根太１６と前記補強材５１とが、互いに開口部を対向させるようにして接合されることによって、前記横架材を断面略角筒状に形成できる。これによって、前記床根太１６の開口部が閉塞された状態となるので、前記補強材５１によって前記床根太１６を補強できることになる。さらに、前記下地材５０が、このような床根太１６の側面および補強材５１の側面にそれぞれ固定されており、前記支柱２１の下端部は、前記横架材および下地材５０の上方に配置されているので、前記支柱２１を、補強された横架材および下地材５０によって、より確実に支持できるとともに、前記支柱２１を前記横架材によって支持した状態で、この支柱２１の下端部を前記下地材５０に固定できる。
これによって、予め工場等で前記螺旋階段２０を建物ユニット１０（１０ａ，１０ｂ）に接合して組み込んだ状態にしておかなくても、現場で前記螺旋階段２０の支柱２１の下端部を、前記下階建物ユニット１０ａに、より容易かつ強固に固定することが可能となる。
【００１０】
請求項２に記載の発明は、例えば図１，図５，図６に示すように、請求項１に記載の螺旋階段２０の取付構造において、
前記第二補強部６を構成する横架材は、前記上階建物ユニット１０ｂの床部を構成するとともに断面略コ字型に形成された床梁１３と、この床梁１３よりも大きさが一回り小さい断面略コ字型に形成されるとともに該床梁１３よりも上階建物ユニット１０ｂの内側に位置する補強材６１とを備え、これら床梁１３と補強材６１とが、互いに開口部を対向させるようにして接合されることによって形成されており、
前記第二補強部６を構成する下地材６０は、前記補強材６１の側面に固定されており、
前記螺旋階段２０の踊り場２４は、前記下地材６０の側方に配置されるとともに該下地材６０に固定されていることを特徴とする。
【００１１】
請求項２に記載の発明によれば、前記床梁１３と前記補強材６１とが、互いに開口部を対向させるようにして接合されることによって、前記横架材を断面略角筒状に形成できる。これによって、前記床梁１３の開口部が閉塞された状態となるので、前記補強材６１によって前記床梁１３を補強できることになる。さらに、前記下地材６０が、前記補強材６１の側面に固定されており、前記踊り場２４は、前記下地材６０の側方に配置されているので、この下地材６０に踊り場２４を固定すれば、補強された横架材および下地材６０によって、より確実に支持できることになる。
これによって、予め工場等で前記螺旋階段２０を建物ユニット１０（１０ａ，１０ｂ）に接合して組み込んだ状態にしておかなくても、現場で前記螺旋階段２０の踊り場２４を、前記上階建物ユニット１０ｂに、より容易かつ強固に固定することが可能となる。
【００１２】
請求項３に記載の発明は、例えば図１，図５，図６に示すように、請求項２に記載の螺旋階段２０の取付構造において、
前記上階建物ユニット１０ｂの床部を構成する床梁１３は、長辺床梁１３ａと、この長辺床梁１３ａに直交する短辺床梁１３ｂとからなり、
前記補強材６１は、これら長辺床梁１３ａおよび短辺床梁１３ｂの双方に接合されており、
前記踊り場２４は、前記長辺床梁１３ａ側の補強材６１の側面に固定された下地材６０と、前記短辺床梁１３ｂ側の補強材６１の側面に固定された下地材６０のそれぞれに固定されていることを特徴とする。
【００１３】
請求項３に記載の発明によれば、前記踊り場２４は、前記長辺床梁１３ａ側の補強材６１の側面に固定された下地材６０と、前記短辺床梁１３ｂ側の補強材６１の側面に固定された下地材６０のそれぞれに固定されているので、例えば前記踊り場２４を、前記長辺床梁１３ａ側か短辺床梁１３ｂ側のどちらかの下地材６０に固定して片持ち支持するよりも確実に支持できる。これによって、前記螺旋階段２０の建物ユニット１０（１０ａ，１０ｂ）への取付状態をより強固にすることができる。
【発明の効果】
【００１６】
本発明によれば、螺旋階段の支柱の下端部が固定される部位に設けられた第一補強部は、木製の下地材を有するので、例えばボルト等の止着材によって、支柱の下端部を、木製の下地材に容易かつ確実に固定することができる。さらに、下地材は、金属製の横架材に固定されているので、下地材に下端部が固定された前記支柱を、この横架材によって確実に支持することができる。
また、螺旋階段の踊り場が固定される部位に設けられた第二補強部は、木製の下地材を有するので、例えばボルト等の止着材によって、踊り場を、木製の下地材に容易かつ確実に固定することができる。さらに、下地材は、金属製の横架材に固定されているので、下地材に固定された踊り場を、この横架材によって確実に支持することができる。
そして、このように螺旋階段を、第一補強部および第二補強部の下地材に容易かつ確実に固定できるとともに、横架材によって確実に支持できるので、螺旋階段の建物ユニットへの取付状態を強固にすることができる。これによって、螺旋階段の現場施工が可能となり、予め工場等で螺旋階段を建物ユニットに接合して組み込んだ状態にしておかなくても、現場で螺旋階段を建物ユニットに容易かつ強固に固定することが可能となる。
【図面の簡単な説明】
【００１７】
【図１】本発明に係る螺旋階段の取付構造を示す断面図である。
【図２】建物ユニットの一例を示す斜視図である。
【図３】（ａ）は支柱の下端部を示す平断面図であり、（ｂ）は第一補強部付近を示す部分拡大図である。
【図４】第一補強部を示す斜視図である。
【図５】螺旋階段および第二補強部付近を示す平面図である。
【図６】第二補強部付近を示す部分拡大図である。
【発明を実施するための形態】
【００１８】
以下、図面を参照して本発明の実施の形態について説明する。
図１に示す建物１はユニット建物であり、複数の建物ユニット１０（１０ａ，１０ｂ）等によって建物本体が構成されており、本実施の形態においては三階建てとされている。そして、建物１内の任意の場所には、建物１の下階２と上階３とを連結する螺旋階段２０が設置されている。本実施の形態においては、下階２である建物１の二階と、上階３である建物１の三階とを連結する螺旋階段２０が、建物本体の上部に設けられた屋根７の下方で、かつ、下階２の外部側に設けられたバルコニー８の内側に設置されている。
前記螺旋階段２０が設置される位置には、この螺旋階段２０が設置される位置の下階２側の建物ユニット１０の上部に下階側開口部４ａが形成されるとともに、上階３側の建物ユニット１０の下部に上階側開口部４ｂが形成されることによって、上下階空間を連続させる吹抜け４が形成されている。前記螺旋階段２０は、この吹抜け４を利用して設置されている。
【００１９】
ここで、前記建物ユニット１０のうち、前記建物１の下階２において螺旋階段２０が取り付けられるものを下階建物ユニット１０ａと称し、前記建物１の上階３において螺旋階段２０が取り付けられるものを上階建物ユニット１０ｂと称する。
また、前記建物ユニット１０（１０ａ，１０ｂ）は、図２に示すように、４本の柱１１と、これらの柱１１…の上端間どうしを結合する４本の天井梁１２…と、柱１１…の下端間どうしを結合する４本の床梁１３…とを備えている。
【００２０】
４本の天井梁１２…は、２本の長辺天井梁１２ａ，１２ａおよび長辺天井梁１２ａより短い２本の短辺天井梁１２ｂ，１２ｂによって構成されている。
４本の床梁１３は２本の長辺床梁１３ａ，１３ａおよび長辺床梁１３ａより短い２本の短辺床梁１３ｂ，１３ｂによって構成されている。
なお、柱１１は正方形筒状に形成されており、天井梁１２と床梁１３は、それぞれ断面コ字型に形成されている。
【００２１】
２本の長辺天井梁１２ａ，１２ａには、複数の天井小梁１４が架設されており、該天井小梁１４は長辺天井梁１２ａの長手方向に所定間隔で設けられている。これら天井小梁１４の下面には天井板１５が固定されている。
【００２２】
２本の長辺床梁１３ａ，１３ａには、複数の床根太１６，１６ａが架設されており、該床根太１６，１６ａは長辺床梁１３ａの長手方向に所定間隔で設けられている。これら床根太１６，１６ａの上面には床板１７が固定されている。
複数の床根太１６，１６ａのうち、一本の床根太１６は断面略コ字型に形成された金属製とされており、その他の複数の床根太１６ａ…は木製の角材とされている。
【００２３】
なお、柱１１の上端部と天井梁１２の端部とは柱頭接合部材１８によって接合され、柱１１の下端部と床梁１３の端部とは柱脚接合部材１９によって接合されている。
また、このような建物ユニット１０（１０ａ，１０ｂ）が上下方向や前後左右方向に隣接して配置される場合には、図示しない位置決めピンや連結プレート、ボルト等によって適宜連結される。
また、前記下階側開口部４ａは、前記下階建物ユニット１０ａに対して、この下階建物ユニット１０ａ上部の天井板１５の一部を開口させ、その開口の位置の天井小梁１４を取り外すか、または最初から取り付けないようにすることによって形成されている。
さらに、前記上階側開口部４ｂは、前記上階建物ユニット１０ｂに対して、この上階建物ユニット１０ｂ下部の床板１７の一部を開口させ、その開口の位置の床根太１６ａを取り外すか、または最初から取り付けないようにすることによって形成されている。
【００２４】
建物１の一階は、複数の建物ユニット１０…を並設することによって形成されている。
また、前記建物１の一階を形成する複数の建物ユニット１０…上に、複数の建物ユニット１０…を並設することによって建物１の二階２が形成されている。
また、前記建物１の二階２を形成する複数の建物ユニット１０…上に、複数の建物ユニット１０…を並設することによって建物１の三階３が形成されている。
なお、各階を形成する複数の建物ユニット１０…には、予め、前記天井板１５や床板１７、壁面材等が取り付けられている。
【００２５】
前記螺旋階段２０は、上下方向に隣接配置された前記下階建物ユニット１０ａおよび前記上階建物ユニット１０ｂに取り付けられている。
また、この螺旋階段２０は、支柱２１と、ベースプレート２２と、複数の段板２３と、踊り場２４とを備えている。
【００２６】
前記支柱２１は、図１および図３（ａ）に示すように、上下方向に長尺な鉄骨製の円柱であり、前記下階建物ユニット１０ａの床板１７から、前記吹抜け４を通過し、前記上階建物ユニット１０ｂの床部よりも上方に突出している。
また、この支柱２１の下端部には、図３（ａ），（ｂ）に示すように、前記ベースプレート２２が一体的に取り付けられている。このベースプレート２２は四角形状に形成されており、四隅に、コーチボルト等のボルト２２ａを挿通させるボルト孔２２ｂが形成されている。
【００２７】
前記複数の段板２３…は、図１および図５に示すように、前記支柱２１の上下方向に沿って螺旋状に取り付けられている。すなわち、これら複数の段板２３…は、前記支柱２１の上下方向に沿って、この支柱２１の軸を中心として、順次角度をずらしながら放射状に突設されている。
なお、これら複数の段板２３…は、前記支柱２１に対して溶接されて強固に取り付けられている。
また、これら複数の段板２３…に、最下段の段板２３から最上段の段板２３にかけて螺旋状の手摺り２３ａが取り付けられている。
【００２８】
前記踊り場２４は、踊り場本体と、ブラケット２５と、手摺り２８とを有する。
前記踊り場本体は、床板２４ａと、根太２４ｂとを備える。
床板２４ａは、例えばパーティクルボードが採用されており、図１に示すように、前記複数の段板２３…のうち最上段に位置する段板２３よりも一段上の段として使用され、かつ前記建物１の上階３の床部よりも一段下の段として使用されている。
根太２４ｂは金属製であり、前記床板２４ａの下面の縁部に取り付けられており、前記床板２４ａを補強している。また、この根太２４ｂの支柱２１側端部は、前記支柱２１に溶接されている。
前記手摺り２８は、前記床板２４ａの上面の一方の縁部に設けられており、踊り場２４からの落下を防いでいる。
【００２９】
前記ブラケット２５は、図１，図５，図６に示すように、前記床板２４ａの下面に複数取り付けられている。すなわち、これら複数のブラケット２５…は、前記床板２４ａの下面のうち、この踊り場２４が取り付けられる前記上階建物ユニット１０ｂの長辺床梁１３ａ側の縁部と短辺床梁１３ｂ側の縁部とに、互いに間隔をあけて配置されている。
なお、前記根太２４ｂは、前記床板２４ａの下面のうち、これらブラケット２５…が取り付けられていない二辺にそれぞれ取り付けられている。
【００３０】
また、このブラケット２５は、前記床板２４ａの下面に取り付けられるブラケット本体２６と、このブラケット本体２６と一体形成されるとともに前記上階建物ユニット１０ｂの長辺床梁１３ａと短辺床梁１３ｂとに固定される基端部２７とを備える。
ブラケット本体２６は、ビス２６ａ等によって前記床板２４ａに固定されている。また、基端部２７は、コーチボルト等のボルト２７ａによって前記長辺床梁１３ａおよび短辺床梁１３ｂに固定されている。
【００３１】
以上のような螺旋階段２０の支柱２１のベースプレート２２が固定される前記下階建物ユニット１０ａの部位には、第一補強部５が設けられている。すなわち、前記下階建物ユニット１０ａは、この第一補強部５を備えている。
また、前記螺旋階段２０の踊り場２４が固定される前記上階建物ユニット１０ｂの部位には、第二補強部６が設けられている。すなわち、前記上階建物ユニット１０ｂは、この第二補強部６を備えている。
【００３２】
前記第一補強部５および第二補強部６は、前記下階建物ユニット１０ａおよび上階建物ユニット１０ｂをそれぞれ構成する金属製の横架材と、この横架材に固定されるとともに前記螺旋階段２０の支柱２１および踊り場２４がそれぞれ固定される木製の下地材５０，６０とを有する。
【００３３】
前記第一補強部５を構成する横架材は、図１，図３，図４に示すように、前記床根太１６と、補強材５１とを備える。
前記床根太１６は、上述のように前記下階建物ユニット１０ａの床部を構成するものであり、断面略コ字型に形成されている。
前記補強材５１は、前記床根太１６と同様の金属製であり、前記床根太１６よりも断面の大きさが一回り小さく、かつ断面略コ字型に形成されている。また、本実施の形態の場合の補強材５１は、長さが、前記床根太１６よりも短く、かつ前記ベースプレート２２よりも長くなるように設定されており、このベースプレート２２付近の下方に配置される。なお、この補強材５１の長さは、前記床根太１６と略等しくてもよいものとする。
これら床根太１６と補強材５１とは、図３（ｂ）に示すように、互いに開口部を対向させるようにして接合されている。すなわち、前記第一補強部５を構成する横架材は、これら床根太１６と補強材５１とを、互いに開口部を対向させるようにして接合することによって、前記ベースプレート２２が配置される場所に対応して部分的に断面略角筒状に形成されている。なお、前記補強材５１は、前記床根太１６に溶接されて強固に接合されている。
これによって、前記床根太１６の開口部が閉塞された状態となるので、前記補強材５１によって前記床根太１６を補強できることになる。
【００３４】
前記第一補強部５を構成する木製の下地材５０は角材であり、図１，図３，図４に示すように、前記床根太１６の側面と前記補強材５１の側面にそれぞれ複数固定されている。
前記床根太１６の側面と前記補強材５１の側面にそれぞれ接する下地材５０，５０は接着剤によって接着されている。また、隣接する下地材５０，５０同士も接着剤によって接着されている。また、ビス等を併用してもよい。
また、この下地材５０は、長さが、前記補強材５１と略等しくなるように設定されており、前記ベースプレート２２付近の下方に配置される。なお、前記補強材５１の長さが前記床根太１６と略等しい場合には、この下地材５０と補強材５１とが異なる長さに設定されていてもよい。
【００３５】
前記横架材および下地材５０…の上面には、図１および図３（ｂ）に示すように、前記床板１７が載せられている。前記螺旋階段２０の支柱２１のベースプレート２２は、前記床板１７の上面に載せられ、前記横架材および下地材５０の上方に配置されるとともに、前記ボルト２２ａによって前記下地材５０に固定されている。
これによって、前記支柱２１を、補強された横架材および下地材５０によって、より確実に支持できるとともに、前記支柱２１を前記横架材によって支持した状態で、この支柱２１の下端部を前記下地材５０に固定できる。また、前記下地材５０は木製であるため、ボルト２２ａを容易にねじ込める。
以上のようにして、前記螺旋階段２０の支柱２１の下端部を、前記下階建物ユニット１０ａに容易かつ強固に固定することが可能となる。
【００３６】
前記第二補強部６を構成する横架材は、図１，図５，図６に示すように、前記床梁１３と、補強材６１とを備える。
前記床梁１３は、前記上階建物ユニット１０ｂの床部を構成するものであり、断面略コ字型に形成されている。また、この床梁１３は、前記長辺床梁１３ａと、この長辺床梁１３ａに直交する前記短辺床梁１３ｂとからなる。
前記補強材６１は、前記床梁１３と同様の金属製であり、前記床梁１３よりも断面の大きさが一回り小さく、かつ断面略コ字型に形成されている。また、この補強材６１の長さは短く設定されており、このように長さの短い補強材６１が、前記長辺床梁１３ａの長さ方向に適宜間隔をあけて複数設けられるとともに、前記短辺床梁１３ｂの長さ方向に適宜間隔をあけて複数設けられている。本実施の形態においては、この長さの短い補強材６１は、前記長辺床梁１３ａ側に３つ、前記短辺床梁１３ｂ側に３つ設けられている。
そして、前記長辺床梁１３ａおよび短辺床梁１３ｂと、前記複数の補強材６１…とは、互いに開口部を対向させるようにして接合されている。すなわち、前記第二補強部６を構成する横架材は、これら長辺床梁１３ａおよび短辺床梁１３ｂと、前記複数の補強材６１…とを、互いに開口部を対向させるようにして接合することによって、部分的に断面略角筒状に形成されている。なお、前記複数の補強材６１…は、前記長辺床梁１３ａおよび短辺床梁１３ｂに溶接されて強固に接合されている。
これによって、前記長辺床梁１３ａおよび短辺床梁１３ｂの開口部が部分的に閉塞された状態となるので、前記補強材６１によって前記長辺床梁１３ａおよび短辺床梁１３ｂを補強できることになる。
【００３７】
前記第二補強部６を構成する下地材６０は、図５および図６に示すように、第一下地材６０ａと、第二下地材６０ｂとからなる。
前記第一下地材６０ａは板状に形成された合板であり、前記複数の補強材６１…間に架設されるとともに、これら複数の補強材６１…の側面に固定されている。
前記第二下地材６０ｂは角材状に形成された合板であり、前記第一下地材６０ａの裏面に固定されるとともに、前記複数の補強材６１…のうち隣り合う補強材６１，６１間に配置されている。
本実施の形態においては、前記第一下地材６０ａは、前記長辺床梁１３ａおよび短辺床梁１３ｂそれぞれの３つの補強材６１，６１，６１間に架設されるとともに、これら３つの補強材６１，６１，６１の側面に固定されている。
さらに、前記第二下地材６０ｂは、前記長辺床梁１３ａおよび短辺床梁１３ｂそれぞれの３つの補強材６１，６１，６１のうち、隣り合う補強材６１，６１間に配置されるとともに、前記第一下地材６０ａの裏面に固定されている。つまり、この第二下地材６０ｂは、前記長辺床梁１３ａ側にも２つ設けられ、前記短辺床梁１３ｂ側にも２つ設けられている。
前記第一下地材６０ａは、前記補強材６１に対して接着剤によって接着されている。また、第一下地材６０ａと第二下地材６０ｂ同士も接着剤によって接着されている。また、ビス等を併用してもよい。
【００３８】
前記螺旋階段２０の踊り場２４は、前記下地材６０の側方に配置されるとともに該下地材６０に固定されている。すなわち、前記踊り場２４は、前記長辺床梁１３ａ側の３つの補強材６１，６１，６１の側面に固定された第一下地材６０ａおよび第二下地材６０ｂと、前記短辺床梁１３ｂ側の３つの補強材６１，６１，６１の側面に固定された第一下地材６０ａおよび第二下地材６０ｂのそれぞれに固定されている。
より詳細には、前記踊り場２４は、前記床板２４ａの下面のうち前記長辺床梁１３ａ側の縁部と短辺床梁１３ｂ側の縁部とに配置される前記複数のブラケット２５…を介して、前記長辺床梁１３ａ側の補強材６１の側面に固定された下地材６０と、前記短辺床梁１３ｂ側の補強材６１の側面に固定された下地材６０のそれぞれに固定されている。つまり、前記複数のブラケット２５…は、前記長辺床梁１３ａ側の第一下地材６０ａおよび第二下地材６０ｂと、前記短辺床梁１３ｂ側の第一下地材６０ａおよび第二下地材６０ｂとに対応する位置に配置されている。
これによって、前記踊り場２４を、前記下地材６０に固定すれば、補強された横架材および下地材６０によって確実に支持できることになる。また、例えば前記踊り場２４を、前記長辺床梁１３ａ側か短辺床梁１３ｂ側のどちらかの下地材６０に固定して片持ち支持するよりも確実に支持できる。また、前記下地材６０は木製であるため、ボルト２７ａを容易にねじ込める。
以上のようにして、前記螺旋階段２０の踊り場２４を、前記上階建物ユニット１０ｂに容易かつ強固に固定することが可能となる。
【００３９】
なお、図６に示すように、前記下階建物ユニット１０ａの天井梁１２にも金属製の補強材１２ｃが接合されており、この補強材１２ｃによって前記天井梁１２を補強できるようになっている。この補強材１２ｃは、図５に示すように、前記第二補強部６の複数の補強材６１…が接合される長辺床梁１３ａおよび短辺床梁１３ｂと、この長辺床梁１３ａと平行するもう一つの長辺床梁１３ａとに取り付けられている。各床梁１３ａ，１３ｂに取り付けられる補強材１２ｃは、その長さが不揃いに設定されている。
また、この補強材１２ｃの側面には木製の下地材１２ｄが固定されている。この下地材１２ｄの吹抜け４側面と、前記第二補強部６の下地材６０の吹抜け４側面とは面一となっており、これら側面に内壁面材を取り付けできるようになっている。
【００４０】
次に、前記螺旋階段２０を、上下方向に隣接配置される前記下階建物ユニット１０ａおよび前記上階建物ユニット１０ｂに取り付ける方法について説明する。
なお、建物１を構成する複数の建物ユニット１０…は、現場でクレーン等によって吊り上げられながら、基礎上に積み上げられる。
【００４１】
また、前記建物ユニット１０には、予め工場等で、前記天井板１５や床板１７、壁面材等が取り付けられている。その他、予め取り付けできるものは、前記柱１１や天井梁１２、床梁１３に予め取り付けられているものとする。
さらに、前記螺旋階段２０も、予め前記支柱２１に、前記ベースプレート２２と、前記複数の段板２３…と、前記踊り場２４とが取り付けられている。また、前記手摺り２８は、予め前記踊り場２４に取り付けられている。
さらに、前記第一補強部５および第二補強部６も、予め工場等で前記下階建物ユニット１０ａおよび上階建物ユニット１０ｂに設けられているものとする。
【００４２】
まず、複数の建物ユニット１０…を並設することによって、建物１の一階を形成する。そして、前記建物１の一階を形成する複数の建物ユニット１０…上に、複数の建物ユニット１０…を並設することによって建物１の二階２を形成する。
この時、前記バルコニー８を形成する建物ユニット１０や、前記下階建物ユニット１０ａが設置される。また、前記下階建物ユニット１０ａの上部には予め前記下階側開口部４ａが形成されている。
【００４３】
その後、前記螺旋階段２０を吊り上げて、前記下階建物ユニット１０ａの下階側開口部４ａから、この下階建物ユニット１０ａ内に入れ、床板１７上に載せる。
続いて、この螺旋階段２０を、前記下階建物ユニット１０ａの床部に設けられた第一補強部５の上方に配置するとともに、周方向の向きを正位置に調整する。そして、前記ベースプレート２２を、前記ボルト２２ａによって前記下地材５０…に固定する。この時、前記ベースプレート２２を仮固定しておき、踊り場２４を前記第二補強部６に固定する際に一緒に本固定を行うようにしてもよい。
前記支柱２１の下端部のベースプレート２２は、前記第一補強部５に対して容易かつ強固に固定できるので、前記螺旋階段２０を、前記下階建物ユニット１０ａに立設させた状態で、前記建物１の上階３を形成することができる。
【００４４】
続いて、前記建物１の下階２を形成する複数の建物ユニット１０…上に、複数の建物ユニット１０…を並設することによって建物１の上階３を形成する。
この時、前記上階建物ユニット１０ｂは、前記上階側開口部４ｂに対して前記螺旋階段２０を挿入するようにして、前記下階建物ユニット１０ａ上に設置される。
【００４５】
その後、前記複数のブラケット２５…を、図６に示すように、前記ボルト２７ａによって前記第二補強部６の下地材６０に固定する。なお、これら複数のブラケット２５…は、予め工場等で前記第二補強部６に固定しておいてもよい。
続いて、これら上階３を形成する複数の建物ユニット１０…のうち、前記螺旋階段２０が取り付けられる前記上階建物ユニット１０ｂの第二補強部６に、前記螺旋階段２０の踊り場２４を固定する。すなわち、この踊り場２４の床板２４ａを、前記複数のブラケット２５…のブラケット本体２６上面に当接させ、前記ビス２６ａによって固定する。
前記踊り場２４は、建物１の上階３を形成した後に、前記第二補強部６に対して容易かつ強固に固定できるので、前記螺旋階段２０の設置は、現場で行うことができる。
以上のようにして、前記螺旋階段２０を、上下方向に隣接配置される前記下階建物ユニット１０ａおよび前記上階建物ユニット１０ｂに取り付けることができる。
【００４６】
本実施の形態によれば、前記螺旋階段２０の支柱２１の下端部が固定される部位に設けられた第一補強部５は、前記木製の下地材５０を有するので、前記ボルト２２ａ等の止着材によって、前記支柱２１のベースプレート２２を、前記木製の下地材５０に容易かつ確実に固定することができる。さらに、前記下地材５０は、前記金属製の横架材に固定されているので、前記下地材５０にベースプレート２２が固定された前記支柱２１を、この横架材によって確実に支持することができる。
また、前記螺旋階段２０の踊り場２４が固定される部位に設けられた第二補強部６は、前記木製の下地材６０を有するので、前記ボルト２７ａ等の止着材によって、前記踊り場２４を、前記木製の下地材６０に容易かつ確実に固定することができる。さらに、前記下地材６０は、前記金属製の横架材に固定されているので、前記下地材６０に固定された前記踊り場２４を、この横架材によって確実に支持することができる。
そして、このように前記螺旋階段２０を、前記第一補強部５および第二補強部６の下地材５０，６０に容易かつ確実に固定できるとともに、前記横架材によって確実に支持できるので、前記螺旋階段２０の下階建物ユニット１０ａおよび上階建物ユニット１０ｂへの取付状態を強固にすることができる。これによって、予め工場等で前記螺旋階段２０を下階建物ユニット１０ａに接合して組み込んだ状態にしておかなくても、現場で前記螺旋階段２０を下階建物ユニット１０ａおよび上階建物ユニット１０ｂに容易かつ強固に固定することが可能となる。
【００４７】
また、前記螺旋階段２０を、前記下階建物ユニット１０ａと前記上階建物ユニット１０ｂの双方に取り付けることできるので、前記下階建物ユニット１０ａだけに取り付ける場合に比して、前記下階建物ユニット１０ａへの負担を軽減できる。
さらに、前記下階建物ユニット１０ａと、前記上階建物ユニット１０ｂと、前記螺旋階段２０とを別々に輸送したり、現場にてクレーン等で吊り上げたりすることができるので、特別な輸送方法や吊り上げ方法を採る必要がなく、建物１の施工性に優れる
【符号の説明】
【００４８】
１  建物
４  吹抜け
５  第一補強部
６  第二補強部
１０ａ  下階建物ユニット
１０ｂ  上階建物ユニット
１３  床梁
１３ａ  長辺床梁
１３ｂ  短辺床梁
１６  床根太
２０  螺旋階段
２１  支柱
２２  ベースプレート
２４  踊り場
２５  ブラケット
５０  下地材
５１  補強材
６０  下地材
６０ａ  第一下地材
６０ｂ  第二下地材
６１  補強材
【図１】
0005756000.tif 000002
【図２】
0005756000.tif 000003
【図３】
0005756000.tif 000004
【図４】
0005756000.tif 000005
【図５】
0005756000.tif 000006
【図６】
0005756000.tif 000007